(57)【要約】  【課題】糊や粘着テープをを用いることなく、封筒を簡単、且つ、確実に封緘できるとともに、封緘作業において廃棄物が生じない封筒を提供する。  【解決手段】封筒本体と、封筒本体の開口部から延設されて封筒の裏面に折返し可能なフラップとを含む封筒である。フラップは開口部の折り線と略平行な分割折返し線により封筒本体側の基底部と先端側の先端部とに分割されるとともに、先端部の封筒裏面側には分割折返し線に沿って粘着剤層と剥離剤層とが交互に設けられ、基底部の封筒裏面側には分割折返し線に沿って剥離剤層と粘着剤層とが交互に設けられる。フラップの先端部は分割折返し線で基底部の封筒裏面側に折返し、先端部の粘着剤層を基底部の剥離剤層に仮着し、先端部の剥離剤層には基底部の粘着剤層を仮着させておく。【選択図】        図１
2012020771.tif 000002
【特許請求の範囲】
【請求項１】
封筒本体と、封筒本体の開口部から延設されて封筒の裏面に折返し可能なフラップとを含む封筒であって、
前記フラップは開口部の折り線と略平行な分割折返し線により封筒本体側の基底部と先端側の先端部とに分割されるとともに、
先端部の封筒裏面側には分割折返し線に沿って粘着剤層と剥離剤層とが交互に設けられ、
基底部の封筒裏面側には分割折返し線に沿って剥離剤層と粘着剤層とが交互に設けられ、
フラップの先端部は分割折返し線で基底部の封筒裏面側に折返してあり、
先端部の粘着剤層は基底部の剥離剤層に仮着し、先端部の剥離剤層には基底部の粘着剤層が仮着していることを特徴とする封緘用粘着剤付き封筒。
【請求項２】
前記フラップの先端部の両端には粘着剤層が設けてあることを特徴とする請求項１に記載の封緘用粘着剤付き封筒。
【請求項３】
封筒本体と、封筒本体の開口部から延設されて封筒の裏面に折返し可能なフラップとを含み、
前記フラップは開口部の折り線と略平行な分割折返し線により封筒本体側の基底部と先端側の先端部とに分割されるとともに、
先端部の封筒裏面側には分割折返し線に沿って粘着剤層と剥離剤層とが交互に設けられ、
基底部の封筒裏面側には分割折返し線に沿って剥離剤層と粘着剤層とが交互に設けられ、
フラップの先端部は分割折返し線で基底部の封筒裏面側に折返してあり、
先端部の粘着剤層は基底部の剥離剤層に仮着し、先端部の剥離剤層には基底部の粘着剤層が仮着している封筒を、
前記フラップの先端部を基底部から剥がして粘着剤層を露出させ、
フラップ全体を封筒本体の裏面へ折返して圧着し、封筒を封緘することを特徴とする封緘用粘着剤付き封筒の使用方法。
【発明の詳細な説明】
【技術分野】
【０００１】
本発明は、書類等を入れて輸送するための封筒に関する。
【背景技術】
【０００２】
封筒は、親書や書類等を入れて保管または輸送に使用され、身近な事務用品の一つである。封筒は一般に一辺が開口し三辺が閉じた平たい袋であり、袋状の封筒本体と、開口部である一辺から延設されたフラップとで構成される。書類等を詰めた後、フラップは開口部の折り線で封筒本体の裏面側に折って封筒の封緘に使用される。
【０００３】
封筒を封緘するには、フラップに糊を塗って折返すか、折返したフラップの先端から封筒の裏面にかけて粘着テープを貼って留めることが一般的である。これらの作業では糊や粘着テープを別途に用意する必要がある。
【０００４】
糊や粘着テープを用いる手間を省くため、図２に示すようなフラップ１４に粘着剤層１６を設けた封筒１１が考え出された。図２（ａ）に封筒１１の表面１２側、図２（ｂ）に封筒１１の裏面１３側を示す。これは、フラップ１４の裏面１３側に封筒１１の幅方向に沿って粘着剤層１６を設け、その表面を細長いセパレータ１８の片で被覆したものである。封筒１１を封緘する際はセパレータ１８を剥がし取って粘着剤層１６を露出させ、折り線１５でフラップを折って裏面１３に圧着するだけで良い。しかし、剥がしたセパレータ１８が廃棄物として残ってしまう。封筒一枚あたりのセパレータ１８は小さな紙片だが、この形態の封筒１１の総使用量を勘案すると、膨大な量のセパレータ１８が廃棄物になっていることは容易に想像される。そこで、糊や粘着テープが不要で、廃棄物も出さない封筒が考え出された。
【０００５】
図３に封筒を封緘する粘着剤層を有し、尚且つセパレータを省いて廃棄物を削減した封筒２１を示す。
【０００６】
図３（ａ）は封筒２１の表面２２を表す平面図。図３（ｂ）、図３（ｃ）および図３（ｄ）は封筒２１の裏面２３を表す平面図で、使用する手順に従って並べてある。
【０００７】
この封筒２２は、フラップ２４を封筒２１本体側の基底部２４ａと先端部２４ｂとに分割折返し線２７で２分割し、基底部２４ａに剥離剤層２８、先端部２４ｂに粘着剤層２６を設けたものである（図３（ｃ）参照）。剥離剤層２８の面積は粘着剤層２６よりも一回り広くしてある。
【０００８】
使用前は、図３（ａ）、図３（ｂ）に示すように、フラップ２４の先端部２４ｂを分割折返し線２７で折り返し、粘着剤層２６と剥離剤層２８とが合わせられ、仮着されている。
【０００９】
封筒２１に親書等を詰めた後は、図３（ｃ）に示すようにフラップ２４の先端部２４ｂを開いて粘着剤層２６を露出させ、図３（ｄ）のようにフラップ２４全体を根本の折り線２５で折り、封筒２１の裏面２３に圧着して貼付ける。この作業により封筒２１が封緘される。
【００１０】
前述したように封筒２１は封緘作業が簡単であるが、粘着剤２６がフラップ２４の先端部２４ｂだけに偏在しており、基底部２４ａには粘着剤が無い。そのため、フラップ２４を圧着した場合でもフラップ２４と封筒２１裏面との間に隙間ができてしまう。そのため、封筒に小さな物品を入れた場合には隙間からこぼれて紛失する恐れがあった。対策として粘着剤層２６と剥離剤層２８の位置を入れ替えた封筒が考えられるが、そうすると封筒２１に貼ったフラップ２４の先端部２４ｂが固定されず、輸送途中に封筒が開いてしまうリスクが生じる。
【先行技術文献】
【特許文献】
【００１１】
【特許文献１】特開２００３−２６７３９３号公報
【発明の概要】
【発明が解決しようとする課題】
【００１２】
本発明は上記の課題を解決するためなされたもので、糊や粘着テープをを用いることなく、封筒を簡単、且つ、確実に封緘できるとともに、封緘作業において廃棄物が生じない封筒を提供することを目的とする。
【課題を解決するための手段】
【００１３】
本発明は上記課題を解決すべく、以下に掲げる構成とした。
【００１４】
本発明の封緘用粘着剤付き封筒は、封筒本体と、封筒本体の開口部から延設されて封筒の裏面に折返し可能なフラップとを含む封筒である。前記フラップは開口部の折り線と略平行な分割折返し線により封筒本体側の基底部と先端側の先端部とに分割されるとともに、先端部の封筒裏面側には分割折返し線に沿って粘着剤層と剥離剤層とが交互に設けられ、基底部の封筒裏面側には分割折返し線に沿って剥離剤層と粘着剤層とが交互に設けられ、フラップの先端部は分割折返し線で基底部の封筒裏面側に折返してあり、先端部の粘着剤層は基底部の剥離剤層に仮着し、先端部の剥離剤層には基底部の粘着剤層が仮着していることを特徴としている。
フラップ先端部の両端には粘着剤層を設けておくことが望ましい。
剥離剤層の面積は、その剥離剤層に対応する粘着剤層の範囲を含むようにしておく。
本発明の封緘用粘着剤付き封筒の使用方法は、封筒本体と、封筒本体の開口部から延設されて封筒の裏面に折返し可能なフラップとを含み、前記フラップは開口部の折り線と略平行な分割折返し線により封筒本体側の基底部と先端側の先端部とに分割されるとともに、先端部の封筒裏面側には分割折返し線に沿って粘着剤層と剥離剤層とが交互に設けられ、基底部の封筒裏面側には分割折返し線に沿って剥離剤層と粘着剤層とが交互に設けられ、フラップの先端部は分割折返し線で基底部の封筒裏面側に折返してあり、先端部の粘着剤層は基底部の剥離剤層に仮着し、先端部の剥離剤層には基底部の粘着剤層が仮着している封筒を、前記フラップの先端部を基底部から剥がして粘着剤層を露出させ、フラップ全体を封筒本体の裏面へ折返して圧着し、封筒を封緘することを特徴としている。
【発明の効果】
【００１５】
本発明の封緘用粘着剤付き封筒は、糊や粘着テープを用いることなく、封筒を簡単、且つ、確実に封緘することができる。また、封筒に離型シートのようなセパレータを用いておらず、台紙が付いた粘着テープも使用しないため、封筒の封緘作業においてセパレータがゴミになることがなく、廃棄物が発生しない。また、セパレータが不要になることでその原料となる紙の消費が抑えられ、森林資源の保護にも貢献する。
【図面の簡単な説明】
【００１６】
【図１】本発明に係る封緘用粘着剤付き封筒の一実施形態を示す平面図であり、使用方法を説明する説明図である。
【図２】従来の粘着剤付き封筒を示す平面図。
【図３】従来の粘着剤付き封筒を示す平面図であり、使用方法を表した説明図である。
【発明を実施するための形態】
【００１７】
以下、本発明の実施の形態について詳細に説明する。図１に本発明の封緘用粘着剤付き封筒１を示す。図１（ａ）は封筒１の表面２を表す平面図である。図１（ｂ）、図１（ｃ）および図１（ｄ）は、共に封緘用粘着剤付き封筒１の裏面３を表す平面図であり、使用手順に従って配置したものである。図１（ｂ）は封筒１の裏面３を表す平面図で、封緘作業前の初期状態を表す。図１（ｃ）はフラップ４を開いた状態を示す展開図、図１（ｄ）はフラップ４を折って封緘した状態を示す図である。
【００１８】
本発明の封緘用粘着剤付き封筒１は、図１（ｃ）に示すようにフラップ４を封筒１本体側の基底部４ａと先端部４ｂとに分割折返し線７で２分割し、基底部４ａと先端部４ｂのそれぞれに剥離剤層８と粘着剤層６を互い違いに設けたものである。各剥離剤層８の面積は粘着剤層６よりも一回り広く（大きく）設定してある。分割折返し線７は封筒１の開口部と略平行に設けられた線で、フラップ４の折り線５と平行な位置関係にある。
【００１９】
基底部４ａには幅方向に沿って剥離剤層８と粘着剤層６が、剥離剤層８、粘着剤層６、剥離剤層８・・・の順に交互に設けられている。幅方向の初めの一箇所と、終わりの一箇所は剥離剤層８にしておく。
【００２０】
先端部４ｂには幅方向に沿って粘着剤層６と剥離剤層８が粘着剤層６、剥離剤層８、粘着剤層６・・・の順に交互に設けられ、分割折返し線７で谷折りした場合に粘着剤層６と剥離剤層８とが向かい合う位置関係になっている。先端部４ｂにおいて、幅方向の初めの一箇所と、終わりの一箇所は粘着剤層６である。即ち、先端部の角部にあたる両端の位置には粘着剤層６が設けられている。
【００２１】
本発明の封緘用粘着剤付き封筒１は以下のように使用する。封緘用粘着剤付き封筒１の使用前の初期状態は、図１（ａ）、図１（ｂ）に示すように、フラップ４の先端部４ｂを分割折返し線７で折り返し、粘着剤層６と剥離剤層８とが合わせられ、仮着された状態になっている。まず、封筒１の表面２には宛先９ａ、裏面３には差出人９ｂを記載する。
【００２２】
封筒１に親書等を詰めた後、図１（ｃ）に示すようにフラップ４の先端部４ｂを開いて基底部４ａから剥がし、分割折返し線７を視点にフラップ４全体を引き延ばすようにして粘着剤層６を露出させる。続いて図１（ｄ）に示すように、フラップ４を折り線５で谷折りして封筒１の裏面３に圧着する。この操作によって封筒１の封緘作業が完了する。
【００２３】
この封緘作業には糊や粘着テープを用意する必要がないため、いつでも、どこでも、簡単に封筒１を封緘することができる。さらに、フラップ４に設けた粘着剤層６を同じくフラップ４に形成した剥離剤層８で被覆してあるために、粘着剤層６をセパレータ等で被覆する必要がない。従って、セパレータがゴミになることがなく、廃棄物量が削減され、廃棄物処理のエネルギーが削減され、焼却処理に伴う二酸化炭素の排出も抑制される。また、セパレータである紙の消費が削減され、紙の原料である森林資源の保護にも貢献する。
【００２４】
一方、フラップ４には基底部４ａにも先端部４ｂにも粘着剤層６が設けてあるため、実質的に封筒１にフラップ４全体を貼付けた状態になる。基底部４ａの粘着剤層６は封筒１の開口部近傍に貼付くため、封筒に入れた小さな物品が漏れたり脱落することはない。
【００２５】
さらに、フラップ４の先端部４ｂにも粘着剤層６が設けてある他、先端部４ｂ両端の角には粘着剤層６が設けてあるため、フラップ４の先や角がめくれて浮き上がるリスクが低減される。輸送中にフラップ４がめくれて封が開く等のトラブルが防止される。
【００２６】
封筒２の材質は、紙や合成樹脂フィルムなど特に限定されるものではなく、封筒として一般的に用いられているものが使用できる。例えば、上質紙、コート紙、アート紙のような紙基材、ＰＥＴ（ポリエチレンテレフタレート）、ＰＥ（ポリエチレン）、ＰＰ（ポリプロピレン）、ＰＳ（ポリスチレン）を素材とした合成樹脂フィルムや、前記の合成樹脂を複数種組み合わせたシート、合成樹脂フィルムと紙とを合わせた複合シートも使用できる。
【００２７】
粘着剤層に使用する粘着剤は、例えば、エマルジョン系（粘着剤を水に分散したもの）、ソルベント系（粘着剤を溶剤に溶解したもの）、ホットメルト系（熱可塑性を利用したもの）等である。材質としては、合成ゴム系や天然ゴム系、アクリル樹脂系、ポリビニルエーテル樹脂系、ウレタン樹脂系、シリコーン樹脂系等の粘着剤があげられる。粘着剤の粘着力は任意である。
【００２８】
剥離剤層を構成する剥離剤は汎用のものである。例えば、紫外線硬化型のシリコーン、熱硬化型のシリコーン、溶剤型のシリコーン、アルキルペンダントポリマーの他、フッ素系の剥離剤を用いることができる。
【００２９】
なお、本発明が前述した実施の形態に限定されず、本発明の技術思想の範囲内において、各実施の形態は適宜変更され得ることは明らかである。また、上記構成部材の数、位置、形状、配置等は上記実施の形態に限定されず、本発明を実施する上で好適な数、位置、形状等にすることができる。
【００３０】
封筒２の形状は任意である。前述した実施の形態では矩形状の封筒を用いて説明したが、例えば正方形、多角形、円形のような形状、それらを組み合わせた形状、曲線のみで構成された形状でも良い。また、襠を設けて立体的にしてあっても構わない。
【００３１】
フラップ４に設ける粘着剤層６の数は任意であるが、基底部４ａに設ける数と先端部４ｂに設ける数をほぼ同じにしておくことが望ましい。先端部４ｂの両縁にあたる角部には粘着剤層６を設けておき、封緘後における角部分のめくれを防止する。
【００３２】
前述した実施の形態では粘着剤層８が矩形状である例を説明したが、その形状は任意である。例えば、円形、楕円形の他、三角形、正方形、台形、平行四辺形、五角形、六角形のような多角形、曲線で構成された形状、直線と曲線を組み合わせた形状でも良い。
【００３３】
フラップ４に設ける剥離剤層８の数と配置は、粘着剤層６の数と配置に合わせて決定する。それぞれの剥離剤層８の大きさは、粘着剤層６や剥離剤層８の見当精度や分割折返し線７で折る際の精度を考慮し、粘着剤層６よりも大きく設定しておく。
【００３４】
剥離剤層８の形状は任意であり、対応する粘着剤層６よりも概ね一回り大きくしておけば良い。しかし、対応する粘着剤層６の範囲をカバーしてあれば、剥離剤層８の形状は必ずしも粘着剤層６の相似形でなくても構わない。例えば、粘着剤層６が直径１０ミリの円形である場合、剥離剤層８を直径１２ミリの円形にしても、１２ミり四方の正方形にしておいても良い。
【符号の説明】
【００３５】
１  封緘用粘着剤付き封筒
２  表面
３  裏面
４  フラップ
４ａ  基底部
４ｂ  先端部
５  折り線
６  粘着剤層
７  分割折返し線
８  剥離剤層
９ａ  宛先
９ｂ  差出人
１１  封筒
１２  表面
１３  裏面
１４  フラップ
１５  折り線
１６  粘着剤層
１８  セパレータ
２１  封筒
２２  表面
２３  裏面
２４  フラップ
２４ａ  基底部
２４ｂ  先端部
２５  折り線
２６  粘着剤層
２７  分割折返し線
２８  剥離剤層
【図１】
2012020771.tif 000003
【図２】
2012020771.tif 000004
【図３】
2012020771.tif 000005